(57)【要約】【課題】隣接する電磁シールド板相互間で、双方の周縁部を溶接しなくても、双方の周縁部を単に当接させるだけで、これらの電磁シールド板により作製した電磁シールド壁が全体として充分な導電性を有するものとなり、したがって充分な電磁シールド効果を有するものになる電磁シールド板及び電磁シールド壁を提供する。【解決手段】電磁シールド板として、アルミニウム板の周縁部に高導電率材料を固着したものを用いた。【選択図】図１
2009088452.tif 000002
【特許請求の範囲】
【請求項１】
アルミニウム板の周縁部に高導電率材料が固着されて成ることを特徴とする電磁シールド板。
【請求項２】
アルミニウム板が平面外観で四角形を呈しており、少なくともその一辺を形成する周縁部に高導電率材料が固着された請求項１記載の電磁シールド板。
【請求項３】
アルミニウム板の周縁部が平面部から屈曲された請求項１又は２記載の電磁シールド板。
【請求項４】
高導電率材料が、アルミニウム板の周縁部に施されたアルミニウムハンダメッキである請求項１〜３のいずれか一つの項記載の電磁シールド板。
【請求項５】
高導電率材料が、アルミニウム板の周縁部に接合された高導電率の異種金属材料である請求項１〜３のいずれか一つの項記載の電磁シールド板。
【請求項６】
高導電率の異種金属材料が銅である請求項５記載の電磁シールド板。
【請求項７】
請求項１〜６のいずれか一つの項記載の電磁シールド板の２枚以上を、隣接する電磁シールド板相互間で双方の周縁部の高導電率材料を当接させた状態としてフレームに取付けて成る電磁シールド壁。
【請求項８】
隣接する電磁シールド板相互間で双方の周縁部の高導電率材料に亘り高導電率の異種金属材料を宛てがってボルト止めした請求項７記載の電磁シールド壁。
【請求項９】
高導電率の異種金属材料が銅である請求項８記載の電磁シールド壁。
【発明の詳細な説明】
【技術分野】
【０００１】
本発明は電磁シールド板及び電磁シールド壁に関する。例えば磁気シールドルームや磁気シールドボックスを作製するとき、その壁面として、フレームに電磁シールド壁とその外側に密着して磁気シールド壁とを取付け、更に通常は化粧材を取付けたものが使用されている。この場合の電磁シールド壁は、複数の通常は四角形の電磁シールド板を１枚のパネル状に作製したものである。本発明は、かかる電磁シールド板及び電磁シールド壁の改良に関する。
【背景技術】
【０００２】
従来、前記のような電磁シールド板として、高導電率材料の板材、通常は数種類の寸法の四角形に成形されたアルミニウム板が使用されている（例えば特許文献１及び２参照）。従来は、かかるアルミニウム板の２枚以上を、隣接するアルミニウム板相互間で双方の周縁部を当接させるか又は溶接した状態としてフレームに取付けることにより前記のような電磁シールド壁としているのである。
【０００３】
しかし、前記のように単なるアルミニウム板から成る従来の電磁シールド板には、その周縁部も含めて表面に酸化膜（Ａｌ２Ｏ３膜）が形成され、この酸化膜に導電性が殆どないため、かかるアルミニウム板の周縁部を隣接するアルミニウム板の相互間で単に当接させただけの状態としてフレームに取付けると、電磁シールド壁全体としての導電性が得られず、結果として電磁シールド効果が低くなるという問題がある。これに対して、アルミニウム板の周縁部を隣接するアルミニウム板の相互間で溶接した状態としてフレームに取付けると、電磁シールド壁全体としての導電性が得られるため、電磁シールド効果が低くなるということはない。ところが、このようにしようとすると、例えば前記のような磁気シールドルームを作製する現場で、電磁シールド板相互の溶接作業に伴う様々な不都合が発生するという問題がある。一般に磁気シールドルームを設置するような場所は、学校、研究機関、病院等であるが、このような場所で、建物から溶接のために電源をとる場合のノイズの発生、別に発電機を使用する場合の騒音の発生、排ガスや臭気の発生等があるのであり、また既に磁気シールド板としてパーマロイが取付けられているような場合にはその磁気シールド効果を損ない易いという問題もあるのである。
【特許文献１】特開平５−１８３２９０号公報
【特許文献２】特開２００４−３５６４０６号公報
【発明の開示】
【発明が解決しようとする課題】
【０００４】
本発明が解決しようとする課題は、電磁シールド板としてのアルミニウム板の周縁部を隣接するアルミニウム板相互間で溶接しなくても、これらのアルミニウム板で作製した電磁シールド壁が全体として充分な導電性を有し、したがって充分な電磁シールド効果を有するものとなる電磁シールド板及び電磁シールド壁を提供する処にある。
【課題を解決するための手段】
【０００５】
前記の課題を解決する本発明は、アルミニウム板の周縁部に高導電率材料が固着されて成ることを特徴とする電磁シールド板に係る。また本発明は、本発明に係る電磁シールド板の２枚以上を、隣接する電磁シールド板相互間で双方の周縁部の高導電率材料を当接させた状態としてフレームに取付けて成る電磁シールド壁に係る。
【０００６】
先ず、本発明に係る電磁シールド板について説明する。本発明に係る電磁シールド板は、アルミニウム板の周縁部に高導電率材料が固着されたものから成っている。前記したように、アルミニウム板はその周縁部も含めて表面に酸化膜（Ａｌ２Ｏ３膜）が形成され、この酸化膜は導電性が殆どないため、かかるアルミニウム板の周縁部を、溶接することなく、単に当接させるだけでは、作製した電磁シールド壁全体としての導電性が得られず、結果として電磁シールド効果が低くなってしまう。しかし、アルミニウム板の周縁部に高導電率材料を固着しておくと、かかるアルミニウム板の周縁部を、溶接することなく、単に当接させるだけで、作製した電磁シールド壁全体としての導電性が得られ、結果として充分な電磁シールド効果が得られる。しかも、このように全体としての導電性が得られる電磁シールド壁の外側に前記したように磁気シールド壁を密着させて磁気シールドルームや磁気シールドボックスを作製すると、外部からの変動磁場により電磁シールド壁に渦電流が生じ、この渦電流は変動磁場を打ち消そうとする磁場を発生させるので、結果として磁気シールドルームや磁気シールドボックスでの磁気シールド効果を一段と高める。
【０００７】
本発明に係る電磁シールド板において、アルミニウム板の周縁部には、アルミニウム板の周縁における端面だけではなく、内側面等も含まれる。かかる周縁部には、それがアルミニウム板と同一平面にある場合だけでなく、それがアルミニウム板の平面部から屈曲された場合も含まれる。本発明に係る電磁シールド板では、以上説明したようなアルミニウム板の周縁部に高導電率材料が固着されている。高導電率材料はアルミニウム板の周縁部の全域に亘って固着されている場合だけではなく、アルミニウム板の周縁部の一部に固着されている場合もある。通常、アルミニウム板は平面外観で正方形又は長方形の四角形を呈しているので、このような場合には少なくともその一辺を形成する周縁部に高導電率材料が固着されている。２枚以上の電磁シールド板を用いて前記したように電磁シールド壁を作製するとき、隣接する電磁シールド板の相互間で当接することとなる周縁部には高導電率材料が固着されているのである。
【０００８】
本発明に係る電磁シールド板において、アルミニウム板の周縁部に固着する高導電率材料としては、アルミニウムハンダをハンダ付けすることによりメッキ仕上げしたアルミニウムハンダメッキのような高導電率のハンダメッキ、銅や銀のような高導電率の異種金属材料、かかるハンダメッキと異種金属材料の双方等が挙げられるが、なかでもアルミニウムハンダメッキと銅が好ましい。アルミニウムハンダとしては硬質ハンダ、軟質ハンダ、反応ハンダ等が知られており、これらのなかでは反応ハンダが好ましいが、いずれも市販品、例えば日本アルミット株式会社製のものを使用できる。
【０００９】
次に、本発明に係る電磁シールド壁について説明する。本発明に係る電磁シールド壁は、以上説明したような本発明に係る電磁シールド板の２枚以上を、隣接する電磁シールド板相互間で双方の周縁部の高導電率材料を当接させた状態としてフレームに取付けて成るものである。隣接する電磁シールド板相互間で、双方の周縁部の高導電率材料を単に当接させるだけでもよいが、隣接する電磁シールド板相互をより強く接合するため、双方の周縁部の高導電率材料に亘り高導電率の当て板、例えば高導電率の異種金属材料を宛てがってボルト止めするのが好ましい。ここで宛てがう高導電率の異種金属材料としては、前記したことと同様、銅が好ましい。
【発明の効果】
【００１０】
本発明に係る電磁シールド板によると、隣接する電磁シールド板相互間で、双方の周縁部を溶接しなくても、双方の周縁部に固着されている高導電率材料を単に当接させるだけで、これらの電磁シールド板により作製した電磁シールド壁が全体として充分な導電性を有するものとなり、したがって充分な電磁シールド効果を有するものになるという効果がある。
【実施例】
【００１１】
図１は本発明に係る電磁シールド板を例示する平面図である。電磁シールド板１１は、平面外観が正方形のアルミニウム板３１と、アルミニウム板３１の２辺（図１では左辺と底辺）を形成する周縁部（図１では周縁の端面）に施されたアルミニウムハンダメッキ４１，４２とを備えている。
【００１２】
図２は本発明に係る電磁シールド壁の作製状態をその使用状態も含めて例示する分解図、図３は図２と同じ電磁シールド壁をその使用状態も含めて示す一部省略の断面図である。図１と同様の４枚の電磁シールド板１１〜１４を用いて、隣接する電磁シールド板相互間で双方の周縁部のアルミニウムハンダメッキを当接させた状態とし、１枚の電磁シールド壁１０を作製している。例えば、電磁シールド板１１と電磁シールド板１３との関係では、図３に示すように、電磁シールド板１１の周縁部のアルミニウムハンダメッキ４２と電磁シールド板１３の周縁部のアルミニウムハンダメッキ４４とを当接させた状態とし、また電磁シールド板１１と電磁シールド板１２との関係では、後述する図４に示すように、電磁シールド板１１の周縁部のアルミニウムハンダメッキ４１と電磁シールド板１２の周縁部のアルミニウムハンダメッキ４３とを当接させた状態としている。図２及び図３では、同様に４枚の磁気シールド板６１〜６４を用いて、隣接する磁気シールド板相互間で双方の周縁部を当接させた状態とし、１枚の磁気シールド壁６０を作製している。そして、電磁シールド壁１０の外側に磁気シールド壁６０を密着し、更に磁気シールド壁６０の外側から当て板７１を宛てがって、これらをフレーム７２にボルト止めしている。図３の使用状態は、かくして作製される磁気シールドルームの一つの壁面構造を示している。
【００１３】
図４は図１と同じ電磁シールド板をその使用状態も含めて示す断面図である。図１と同様の２枚の電磁シールド板１１，１２を用い、電磁シールド板１１の周縁部のアルミニウムハンダメッキ４１と電磁シールド板１２の周縁部のアルミニウムハンダメッキ４３とを当接させている。これらの電磁シールド板１１，１２の位置関係は、図２の通りである。
【００１４】
図５は本発明に係る他の電磁シールド板をその使用状態も含めて例示する断面図である。電磁シールド板１５は、平面外観が長方形のアルミニウム板３２と、アルミニウム板３２の周縁部（図５では周縁の端面）に溶接された銅部４５とを備えている。電磁シールド板１６も電磁シールド板１５と同じ構成になっている。図５では、同様の２枚の電磁シールド板１５，１６を用い、電磁シールド板１５の周縁部の銅部４５と電磁シールド板１６の周縁部の銅部４６とを当接させている。
【００１５】
図６は本発明に係る他の電磁シールド板をその使用状態も含めて例示する断面図である。電磁シールド板１７は、平面外観が長方形のアルミニウム板３３と、アルミニウム板３３の周縁部（図６では周縁の下側に位置する内側面）に施されたアルミニウムハンダメッキ４７とを備えている。電磁シールド板１８も電磁シールド板１７と同じ構成になっている。図６では、同様の２枚の電磁シールド板１７，１８を用い、電磁シールド板１７の周縁部のアルミニウムハンダメッキ４７と電磁シールド板１８の周縁部のアルミニウムハンダメッキ４８とを当接させ、双方のアルミニウムハンダメッキ４７，４８に亘り片面にアルミニウムハンダメッキ８２を施したアルミニウム片８１を宛てがい、アルミニウムハンダメッキ４７，４８とアルミニウムハンダメッキ８２とを当接させた状態でボルト止めしている。
【００１６】
図７は本発明に係る他の電磁シールド板をその使用状態も含めて例示する断面図である。電磁シールド板１９は、平面外観が長方形のアルミニウム板３４と、アルミニウム板３４の周縁部（図７では周縁の下側に位置する内側面）に溶接された銅部４９とを備えている。電磁シールド板２０も電磁シールド板１９と同じ構成になっている。図７では、同様の２枚の電磁シールド板１９，２０を用い、電磁シールド板１９の周縁部の銅部４９と電磁シールド板２０の周縁部の銅部５０とを当接させ、双方の銅部４９，５０に亘り銅片８３を宛てがい、ボルト止めしている。
【００１７】
図８は本発明に係る他の電磁シールド板をその使用状態も含めて例示する断面図である。電磁シールド板２１は、平面外観が略正方形のアルミニウム板３５と、アルミニウム板３５の周縁部（図８では平面部から内側の垂直方向へ屈曲された部分の外側面）に溶接された銅部５１とを備えている。電磁シールド板２２も電磁シールド板２１と同じ構成になっている。図８では、同様の２枚の電磁シールド板２１，２２を用い、電磁シールド板２１の周縁部の銅部５１と電磁シールド板２２の周縁部の銅部５２とを当接させ、ボルト止めしている。
【図面の簡単な説明】
【００１８】
【図１】本発明に係る電磁シールド板を例示する平面図。
【図２】本発明に係る電磁シールド壁の作製状態をその使用状態も含めて例示する分解図。
【図３】図２と同じ電磁シールド壁をその使用状態も含めて示す一部省略の断面図。
【図４】図１と同じ電磁シールド板をその使用状態も含めて示す断面図。
【図５】本発明に係る他の電磁シールド板をその使用状態も含めて示す断面図。
【図６】本発明に係る他の電磁シールド板をその使用状態も含めて示す断面図。
【図７】本発明に係る他の電磁シールド板をその使用状態も含めて示す断面図。
【図８】本発明に係る他の電磁シールド板をその使用状態も含めて示す断面図。
【符号の説明】
【００１９】
１０                          電磁シールド壁
１１〜２２                    電磁シールド板
３１〜３５                    アルミニウム板
４１〜４４，４７，４８，８２  アルミニウムハンダメッキ
４５，４６，４９〜５２        銅部
６０                          磁気シールド壁
６１〜６４                    磁気シールド板
７１                          当て板
８１                          アルミニウム片
８３                          銅片
【図１】
2009088452.tif 000003
【図２】
2009088452.tif 000004
【図３】
2009088452.tif 000005
【図４】
2009088452.tif 000006
【図５】
2009088452.tif 000007
【図６】
2009088452.tif 000008
【図７】
2009088452.tif 000009
【図８】
2009088452.tif 000010